(57)【要約】【課題】湾曲した形状のコーナー吹出口（32）を有する空気調和装置において、コーナー吹出口（32）からの空気の吹き出し方向を調整できるようにし、ドラフト感の問題を防止するとともに、室内全体を均一に空調できるようにする。【解決手段】コーナー吹出口（32）に対応して湾曲したコーナー水平羽根（34）を設け、コーナー水平羽根（34）を、その内側縁に位置する内側フレーム（35）と、外側縁に位置する外側フレーム（36）と、内側フレーム（35）と外側フレーム（36）の間で平面形状と錐面形状とに変形可能なシート状フラップ（37）とから構成し、シート状フラップ（37）を、伸縮性を有する布素材などの柔軟素材により形成する。また、駆動モータ（41）とリンク機構（44）とを備えた駆動機構（40）によりシート状フラップ（37）を平面形状と錐面形状に設定できるようにする。【選択図】図３
2007218511.tif 000002
【特許請求の範囲】
【請求項１】
空調空気を吹き出す空気吹出口（30）がケーシング（10）に形成され、上記空気吹出口（30）が、湾曲ないし屈曲した開口形状のコーナー吹出口（32）を有する空気調和装置であって、
上記コーナー吹出口（32）には、該コーナー吹出口（32）に対応して湾曲ないし屈曲したコーナー水平羽根（34）が設けられ、
上記コーナー水平羽根（34）は、該コーナー水平羽根（34）の内側縁に位置する第１縁部（35）と、外側縁に位置する第２縁部（36）と、第１縁部（35）と第２縁部（36）の間に設けられて平面形状と錐面形状とに変形可能な水平羽根本体（37）とを有していることを特徴とする空気調和装置。
【請求項２】
請求項１において、
上記第１縁部（35）と第２縁部（36）の一方が上記ケーシング（10）に保持された状態で他方を変位させることにより、上記水平羽根本体（37）を平面形状と錐面形状に設定可能な駆動機構（40）を備えていることを特徴とする空気調和装置。
【請求項３】
請求項２において、
上記駆動機構（40）は、上記第１縁部（35）と第２縁部（36）の一方を上記ケーシング（10）に保持する保持部（14）と、該ケーシング（10）に設けられた駆動モータ（41）と、該駆動モータ（41）の出力を上記第１縁部（35）と第２縁部（36）の他方に伝達するリンク機構（44）とを備えていることを特徴とする空気調和装置。
【請求項４】
請求項１から３の何れか１つにおいて、
上記水平羽根本体（37）は、伸縮性を有するシート状の柔軟素材により形成されていることを特徴とする空気調和装置。
【請求項５】
請求項４において、
上記水平羽根本体（37）は、伸縮性を有する布素材により形成されていることを特徴とする空気調和装置。
【請求項６】
請求項１から５の何れか１つにおいて、
上記ケーシング（10）は平面視が四辺形の立体に形成された天井吊り下げ型のケーシング（10）により構成され、
上記ケーシング（10）は、四辺に沿って設けられた主吹出口（31）と、四隅に設けられたコーナー吹出口（32）とを備え、
上記主吹出口（31）からの空気の吹き出し方向を調整する主水平羽根（33）を備えるとともに、上記各コーナー吹出口（32）には上記コーナー水平羽根（34）が設けられていることを特徴とする空気調和装置。
【請求項７】
請求項６において、
上記ケーシング（10）は平面から見た四辺形の四隅が湾曲した形状に形成され、
上記主吹出口（31）とコーナー吹出口（32）は、ケーシング（10）の側面（11）に形成されていることを特徴とする空気調和装置。
【請求項８】
請求項１から５の何れか１つにおいて、
上記ケーシング（10）は平面視が四辺形の立体に形成された天井埋め込み型のケーシング（10）により構成され、該ケーシング（10）の下面に装着された四辺形の化粧パネル（15）を備え、
上記化粧パネル（15）は、四辺に沿って設けられた主吹出口（31）と、四隅に設けられたコーナー吹出口（32）とを備え、
上記主吹出口（31）からの空気の吹き出し方向を調整する主水平羽根（33）を備えるとともに、上記各コーナー吹出口（32）には上記コーナー水平羽根（34）が設けられていることを特徴とする空気調和装置。
【請求項９】
請求項１から５の何れか１つにおいて、
上記ケーシング（10）は平面視が四辺形の立体に形成された天井埋め込み型のケーシング（10）により構成され、該ケーシング（10）の下面に装着された四辺形の化粧パネル（15）を備え、
上記化粧パネル（15）には、複数の上記コーナー吹出口（32）を組み合わせることにより円環状の空気吹出口（30）が形成され、
上記各コーナー吹出口（32）には上記コーナー水平羽根（34）が設けられていることを特徴とする空気調和装置。
【発明の詳細な説明】
【技術分野】
【０００１】
本発明は、空気調和装置に関し、特に、ケーシングの空気吹き出し構造に関するものである。
【背景技術】
【０００２】
従来より、天井吊り下げ型や天井埋め込み型の空気調和装置では、一般に、角形のケーシングの四辺に空気吹出口が設けられている。一方、特許文献１に記載の空気調和装置では、ケーシングの四辺の空気吹出口を主吹出口とすると、この主吹出口に加えて、ケーシングのコーナー部にコーナー吹出口が設けられている。コーナー吹出口は、隣り合う主吹出口の間で湾曲した形状に形成され、隣り合う主吹出口の間の、通常は空気吹き出しが行われない部分からも空気を吹き出すためのものである。そして、このコーナー吹出口を設けることによって、この空気調和装置では３６０°すべての方向への空気の吹き出し（全方向吹き出し）を図っている。
【０００３】
上記空気調和装置において、主吹出口には、その長手方向の軸周りに揺動可能な水平羽根が設けられていて、空気の吹き出し方向を調整できるようになっている。一方、コーナー吹出口には水平羽根は設けられておらず、コーナー吹出口につながるケーシング内の空気通路の形状に沿って空気が吹き出される。つまり、コーナー吹出口については、空気が一定方向に吹き出されるようになっている。
【０００４】
コーナー吹出口に水平羽根が設けられてないのは、コーナー吹出口が湾曲した形状であるため、この湾曲したコーナー吹出口の中に水平羽根（コーナー水平羽根）を設けるには支持軸も湾曲した形状にする必要があり、単にコーナー吹出口に沿って湾曲したプレート状のコーナー水平羽根では支持軸を中心として回らない（角度調整ができない）のが原因と考えられる。
【特許文献１】特開２００５−２０７７３３号公報
【発明の開示】
【発明が解決しようとする課題】
【０００５】
上記空気調和装置では、コーナー吹出口からの空気の吹き出し方向が一定であるため、コーナー吹出口の吹き出し方向にいる人に直接空気が当たるドラフト感の問題がある。また、上記空気調和装置では、全方向吹き出しを意図しているにもかかわらず、吹き出し方向が一定の部分があるために室内全体を均一に空調することも困難であった。
【０００６】
本発明は、かかる点に鑑みてなされたものであり、その目的は、コーナー吹出口を有する空気調和装置において、コーナー吹出口からの空気の吹き出し方向を調整できるようにし、ドラフト感の問題を防止するとともに、室内全体を均一に空調できるようにすることである。
【課題を解決するための手段】
【０００７】
第１の発明は、空調空気を吹き出す空気吹出口（30）がケーシング（10）に形成され、上記空気吹出口（30）が、湾曲ないし屈曲した開口形状のコーナー吹出口（32）を有する空気調和装置を前提としている。
【０００８】
そして、この空気調和装置は、上記コーナー吹出口（32）に、該コーナー吹出口（32）に対応して湾曲ないし屈曲したコーナー水平羽根（34）が設けられ、上記コーナー水平羽根（34）が、該コーナー水平羽根（34）の内側縁に位置する第１縁部（35）と、外側縁に位置する第２縁部（36）と、第１縁部（35）と第２縁部（36）の間に設けられて平面形状と錐面形状とに変形可能な水平羽根本体（37）とを有していることを特徴としている。ここで、上記「錐面」は、円錐や角錐のような錐体の外周面の一部を表す意味で用いている。
【０００９】
この第１の発明では、コーナー水平羽根（34）の第１縁部（35）及び第２縁部（36）の一方を支持軸として他方を上下へ変位させると、水平羽根本体（37）が平面形状や錐面形状に変形する。したがって、湾曲または屈曲したした支持軸が固定されていても、コーナー吹出口（32）の中でコーナー水平羽根（34）の角度を調整できる。
【００１０】
第２の発明は、第１の発明において、上記第１縁部（35）と第２縁部（36）の一方が上記ケーシング（10）に保持された状態で他方を変位させることにより、上記水平羽根本体（37）を平面形状と錐面形状に設定可能な駆動機構（40）を備えていることを特徴としている。
【００１１】
この第２の発明では、駆動機構（40）を設けているので、この駆動機構（40）を用いて、水平羽根本体（37）を平面形状と錐面形状とに簡単に設定できる。
【００１２】
第３の発明は、第２の発明において、上記駆動機構（40）が、上記第１縁部（35）と第２縁部（36）の一方を上記ケーシング（10）に保持する保持部（14）と、該ケーシング（10）に設けられた駆動モータ（41）と、該駆動モータ（41）の出力を上記第１縁部（35）と第２縁部（36）の他方に伝達するリンク機構（44）とを備えていることを特徴としている。
【００１３】
この第３の発明では、例えば第１縁部（35）が保持部（14）を介してケーシング（10）に保持されているとすると、駆動モータ（41）を起動することにより、該モータの出力がリンク機構（44）を介して第２縁部（36）に伝達される。このため、第１縁部（35）が支持軸として位置固定のまま、第２縁部（36）を変位させることができる。このことにより、水平羽根本体（37）を平面形状と錐面形状とに簡単に設定できる。
【００１４】
第４の発明は、第１から第３の何れか１つの発明において、上記水平羽根本体（37）が、伸縮性を有するシート状の柔軟素材により形成されていることを特徴としている。この柔軟素材としては、例えばシート状のゴム素材などを挙げることができる。
【００１５】
この第４の発明では、コーナー水平羽根（34）の第１縁部（35）及び第２縁部（36）の一方を支持軸として他方を上下へ変位させると、柔軟素材により形成されたシート状の水平羽根本体（37）が伸縮することにより、該水平羽根本体（37）が平面形状と錐面形状とに変化する。
【００１６】
第５の発明は、第４の発明において、上記水平羽根本体（37）が、伸縮性を有する布素材により形成されていることを特徴としている。
【００１７】
この第５の発明では、コーナー水平羽根（34）の第１縁部（35）及び第２縁部（36）の一方を支持軸として他方を上下へ変位させると、布素材により形成されたシート状の水平羽根本体（37）が伸縮することにより、該水平羽根本体（37）が平面形状と錐面形状とに変化する。
【００１８】
第６の発明は、第１から第５の何れか１つの発明において、上記ケーシング（10）が平面視四辺形の立体に形成された天井吊り下げ型のケーシング（10）により構成され、上記ケーシング（10）が、四辺に沿って設けられた主吹出口（31）と、四隅に設けられたコーナー吹出口（32）とを備え、上記主吹出口（31）からの空気の吹き出し方向を調整する主水平羽根（33）を備えるとともに、上記各コーナー吹出口（32）には上記コーナー水平羽根（34）が設けられていることを特徴としている。
【００１９】
第６の発明では、各吹出口（31，32）をケーシング（10）の底面に形成することも可能であるが、第７の発明は、第６の発明において、上記ケーシング（10）が平面から見た四辺形の四隅が湾曲した形状に形成され、上記主吹出口（31）とコーナー吹出口（32）が、ケーシング（10）の側面（11）に形成されていることを特徴としている。
【００２０】
これらの第６，第７の発明では、主吹出口（31）による外側四方向への空調空気の吹き出しに加えて、コーナー吹出口（32）による外側斜め方向への空調空気の吹き出しも可能となるので、全方向吹き出しを行える。また、天井吊り下げ型の空気調和装置においてコーナー吹出口（32）を設けた構成において、主吹出口（31）における空調空気の吹き出し方向だけでなく、コーナー吹出口（32）における空調空気の吹き出し方向も調整できる。
【００２１】
第８の発明は、第１から第５の何れか１つの発明において、上記ケーシング（10）が平面視四辺形の立体に形成された天井埋め込み型のケーシング（10）により構成され、該ケーシング（10）の下面に装着された四辺形の化粧パネル（15）を備え、上記化粧パネル（15）が、四辺に沿って設けられた主吹出口（31）と、四隅に設けられたコーナー吹出口（32）とを備え、上記主吹出口（31）からの空気の吹き出し方向を調整する主水平羽根（33）を備えるとともに、上記各コーナー吹出口（32）には上記コーナー水平羽根（34）が設けられていることを特徴としている。
【００２２】
この第８の発明では、主吹出口（31）による外側四方向への空調空気の吹き出しに加えて、コーナー吹出口（32）による外側斜め方向への空調空気の吹き出しも可能となるので、全方向吹き出しを行える。また、天井埋め込み型の空気調和装置においてコーナー吹出口（32）を設けた構成において、主吹出口（31）における空調空気の吹き出し方向だけでなく、コーナー吹出口（32）における空調空気の吹き出し方向も調整できる。
【００２３】
第９の発明は、第１から第５の何れか１つの発明において、上記ケーシング（10）が平面視四辺形の立体に形成された天井埋め込み型のケーシング（10）により構成され、該ケーシング（10）の下面に装着された四辺形の化粧パネル（15）を備え、上記化粧パネル（15）には、複数の上記コーナー吹出口（32）を組み合わせることにより円環状の空気吹出口（30）が形成され、上記各コーナー吹出口（32）には上記コーナー水平羽根（34）が設けられていることを特徴としている。
【００２４】
この第９の発明では、コーナー吹出口（32）により円環状の空気吹出口（30）が形成されているので、全方向吹き出しを行える。また、天井埋め込み型の空気調和装置において空気吹出口（30）をコーナー吹出口（32）だけを組み合わせて構成した場合において、コーナー吹出口（32）における空調空気の吹き出し方向を調整できる。
【発明の効果】
【００２５】
本発明によれば、コーナー吹出口（32）の中に、平面形状と錐面形状とに変形可能な水平羽根本体（37）を有するコーナー水平羽根（34）を設けている。したがって、コーナー水平羽根（34）の第１縁部（35）及び第２縁部（36）の一方を支持軸として他方を例えば上下へ変位させると、支持軸となる第１縁部（35）または第２縁部（36）が湾曲ないし屈曲しているにもかかわらず、水平羽根本体（37）が平面形状や錐面形状に変形し、コーナー水平羽根（34）の角度を調整できる。このため、コーナー吹出口（32）の吹き出し方向にいる人に直接空気が当たるドラフト感の問題を解消できる。また、空気吹出口（30）の全周にわたって空調空気の吹き出し方向を調整できるので、室内全体を従来よりも均一に空調することが可能となる。
【００２６】
上記第２の発明によれば、駆動機構（40）を設けているので、この駆動機構（40）を用いて、水平羽根本体（37）を平面形状と錐面形状とに簡単に設定できる。つまり、コーナー吹出口（32）における空調空気の吹き出し方向を簡単に変更することができる。
【００２７】
上記第３の発明によれば、例えば第１縁部（35）が保持部（14）を介してケーシング（10）に保持されている状態で、駆動モータ（41）を起動すると、該駆動モータ（41）の出力がリンク機構（44）を介して第２縁部（36）に伝達されるので、第１縁部（35）が支持軸として位置固定のまま、第２縁部（36）を変位させることができる。このことにより、水平羽根本体（37）を平面形状と錐面形状とに簡単に設定できるから、コーナー吹出口（32）における空調空気の吹き出し方向を簡単に変更することができる。
【００２８】
上記第４の発明によれば、コーナー水平羽根（34）の第１縁部（35）及び第２縁部（36）の一方を支持軸として他方を上下へ変位させると、シート状のゴムなどの柔軟素材により形成された水平羽根本体（37）が伸縮することにより、水平羽根本体（37）が平面形状と錐面形状とに変化する。この発明では水平羽根本体（37）としてシート状の柔軟素材を用いることができるので、空調空気の吹き出し方向を調整するためのコーナー吹出口（32）の構造を簡単にすることができる。
【００２９】
上記第５の発明によれば、コーナー水平羽根（34）の第１縁部（35）及び第２縁部（36）の一方を支持軸として他方を上下へ変位させると、布素材により形成された水平羽根本体（37）が伸縮することにより、水平羽根本体（37）が平面形状と錐面形状とに変化する。この発明では水平羽根本体（37）としてシート状の布素材を用いることができるので、空調空気の吹き出し方向を調整するためのコーナー吹出口（32）の構造を簡単にすることができる。また、水平羽根本体（37）を布素材で形成すると、冷房時の水平羽根への露付きを解消できる。
【００３０】
上記第６，第７の発明によれば、天井吊り下げ型の空気調和装置においてコーナー吹出口（32）を設け、全方向吹き出しを可能とした構成において、主吹出口（31）における空調空気の吹き出し方向だけでなく、コーナー吹出口（32）における空調空気の吹き出し方向も調整できる。したがって、室内全体を均一に空調することが可能となる。
【００３１】
上記第８の発明によれば、天井埋め込み型の空気調和装置においてコーナー吹出口（32）を設け、全方向吹き出しを可能とした構成において、主吹出口（31）における空調空気の吹き出し方向だけでなく、コーナー吹出口（32）における空調空気の吹き出し方向も調整できる。したがって、室内全体を均一に空調することが可能となる。
【００３２】
上記第９の発明によれば、天井埋め込み型の空気調和装置においてコーナー吹出口（32）で円環状の空気吹出口（30）を構成し、全方向吹き出しを可能とした構成において、コーナー吹出口（32）における空気の吹き出し方向を調整できるので、室内全体を均一に空調することが可能となる。また、空気吹出口（30）が主吹出口（31）とコーナー吹出口（32）とからなる場合は、ケーシング（10）内に設けられる遠心ファンから主吹出口（31）までの距離が相対的に近くなり、該遠心ファンからコーナー吹出口（32）までの距離が相対的に遠くなるのに対して、コーナー吹出口（32）だけで円環状の空気吹出口（30）を構成した場合には遠心ファンから空気吹出口（30）の各部までの距離が均一になり、吹き出し風量が一定になる。したがって、室内を均一に空調する効果を高められる。
【発明を実施するための最良の形態】
【００３３】
以下、本発明の実施形態を図面に基づいて詳細に説明する。
【００３４】
《発明の実施形態１》
本発明の実施形態１について説明する。
【００３５】
図１は、この実施形態１に係る空気調和装置（1）を下方から見た斜視図である。この空気調和装置（1）は、天井吊り下げ型のケーシング（10）に、室内空気を吸い込む空気吸込口（20）と、空調空気を吹き出す空気吹出口（30）とが形成された空気調和装置（1）である。ケーシング（10）は平面視が四辺形の立体（箱形）形状に形成され、平面から見た四辺形の四隅は円弧状に湾曲している。上記空気吸込口（20）は、ケーシング（10）の底面に形成されている。また、ケーシング（10）内には、図示していないが遠心ファンと室内熱交換器とが設けられ、遠心ファンによりケーシング（10）内に吸い込んだ室内空気を、遠心ファンの外周に吹き出した後、室内熱交換器で冷却または加熱して空気吹出口（30）から吹き出すようになっている。
【００３６】
上記ケーシング（10）には、空気吹出口（30）として、該ケーシング（10）の四辺に沿って設けられた主吹出口（31）と、四隅に設けられたコーナー吹出口（32）とが設けられている。上記主吹出口（31）とコーナー吹出口（32）はケーシング（10）の側面（11）に形成されている。主吹出口（31）はケーシング（10）の四辺に沿って形成されているので真っ直ぐな形状であり、コーナー吹出口（32）はケーシング（10）の湾曲部分に形成されているので湾曲した形状である。主吹出口（31）には、構造の詳細は省略するが、該主吹出口（31）からの空気の吹き出し方向を調整するための主水平羽根（33）が設けられている。主水平羽根（33）は一般的な構造の水平羽根である。
【００３７】
上記各コーナー吹出口（32）にはコーナー水平羽根（34）が設けられている。コーナー水平羽根（34）は、図２に平面形状を示すように、コーナー吹出口（32）に対応して湾曲しており、中心角度が９０°の円弧状で所定の径方向幅を有する部材として形成されている。コーナー水平羽根（34）は、該コーナー水平羽根（34）の内側縁に位置する内側フレーム（35）（第１縁部）と、外側縁に位置する外側フレーム（36）（第２縁部）と、内側フレーム（35）と外側フレーム（36）の間に張られたシート状フラップ（37）（水平羽根本体）とから構成されている。
【００３８】
内側フレーム（35）と外側フレーム（36）は硬質樹脂材料などのように所定の強度を有する材料により、実質的に変形しないように形成されている。一方、シート状フラップ（37）は、伸縮性を有する布素材などの柔軟素材により容易に変形するように形成されている。シート状フラップ（37）は、コーナー吹出口（32）の断面構造図である図３（Ａ），（Ｂ）に示すように変形可能である。特に、シート状フラップ（37）は、図３（Ａ）に示すように平面形状になる状態と、図３（Ｂ）に示すように錐面形状になる状態とに変形可能である。なお、ここで、上記「錐面」は、円錐や角錐のような錐体の外周面の一部を表す意味で用いている。
【００３９】
図３に示すように、ケーシング（10）は上部ケーシング（12）と下部ケーシング（13）とを備え、内側フレーム（35）は、上部ケーシング（12）と下部ケーシング（13）の間に設けられている保持部（14）に保持されて位置が固定されている。
【００４０】
この空気調和装置（1）には、コーナー水平羽根（34）の角度調整をするための駆動機構（40）が設けられている。下部ケーシング（13）には、コーナー水平羽根（34）の角度調整をするための駆動モータ（41）としてパルスモータが設けられている。駆動モータ（41）の出力軸（41a）は、揺動レバー（42）とアーム（43）とからなるリンク機構（44）を介して外側フレーム（36）に連結されている。図３（Ａ）に示すように揺動レバー（42）が上端位置にあるとき、コーナー水平羽根（34）は水平吹き出し状態となり、図３（Ｂ）に示すように揺動レバー（42）が下端位置にあるとき、コーナー水平羽根（34）は下吹き出し状態となる。このように、駆動機構（40）は、内側フレーム（35）がケーシング（10）に保持された状態で外側フレーム（36）を上下方向に変位させることにより、シート状フラップ（37）を平面形状と錐面形状に設定できるようになっている。また、パルスモータの停止位置を中間位置に制御すると、シート状フラップ（37）を図３（Ａ）と図３（Ｂ）の中間の位置に設定することもできる。
【００４１】
なお、揺動レバー（42）の可動範囲を制限するため、下部ケーシング（13）には、ストッパーやリミットスイッチ（図示せず）が設けられている。
【００４２】
上記駆動機構（40）の揺動レバー（42）は、図２に示すように、コーナー水平羽根（34）の両端の位置（図の０°及び９０°の位置）と、その中間の位置（４５°の位置）の合計３箇所に設けられている。各揺動レバー（42）は、揺動中心側がロッド（45）とユニバーサルジョイント（46）で連結され、３つが同期して動作するようになっている。ロッド（45）の中心位置が一定であるため、外側フレーム（36）は水平状態を保ったまま上下へ変位する。
【００４３】
なお、図示していないが、主吹出口（31）の主水平羽根（33）も同様に揺動レバー（42）とアーム（43）を用いて駆動するように構成されている。特に、この空気調和装置（1）の主水平羽根（33）とコーナー水平羽根（34）を駆動する複数の揺動レバー（42）を、コーナー水平羽根（34）の部分だけユニバーサルジョイント（46）を用いて、コーナー水平羽根（34）に対応するロッド（45）と主水平羽根（33）に対応するロッド（図示せず）を用いて連結すると、一つの駆動モータ（41）で全ての水平羽根（33，34）を駆動することが可能となる。
【００４４】
−運転動作−
この空気調和装置（1）の運転中は、ケーシング（10）内に設けられている図示していない遠心ファンを起動することにより、ケーシング（10）の底面に設けられている空気吸込口（20）からケーシング（10）内に室内空気が吸い込まれる。この室内空気は、遠心ファンの外周方向に吹き出され、室内熱交換器（図示せず）を通過して冷却または加熱される。そして、室内熱交換器を通過した空調空気が空気吹出口（30）を通過して室内へ吹き出される。
【００４５】
その際、駆動モータ（41）を制御することで空調空気の吹き出し方向を調整することができる。例えば、全ての水平羽根（33，34）を上記のリンク機構（44）で連結すると、全ての水平羽根（33，34）の動作が同期し、主水平羽根（33）が水平吹き出し状態のときはコーナー水平羽根（34）も図３（Ａ）に示すように水平吹き出し状態となり、主水平羽根（33）が下吹き出し状態のときはコーナー水平羽根（34）も図３（Ｂ）に示すように下吹き出し状態となる。水平吹き出し状態は例えば冷房運転時に設定され、下吹き出し状態は例えば暖房運転時に設定される。また、冷房時か暖房時かに関係なく、水平羽根（33，34）を上下にスイングさせながら空調空気を吹き出すことも可能である。
【００４６】
−実施形態１の効果−
この実施形態１によれば、コーナー吹出口（32）の中に、平面形状と錐面形状とに変形可能なシート状フラップ（37）を有するコーナー水平羽根（34）を設けている。したがって、コーナー水平羽根（34）の内側フレーム（35）を支持軸として外側フレーム（36）を上下へ変位させると、支持軸となる内側フレーム（35）が湾曲しているにもかかわらず、シート状フラップ（37）が平面形状や錐面形状に変形し、コーナー水平羽根（34）の角度を調整できる。このため、コーナー吹出口（32）の吹き出し方向にいる人に直接空気が当たるドラフト感の問題を解消できる。また、空気吹出口（30）の全周にわたって空調空気の吹き出し方向を調整できるので、室内全体を従来よりも均一に空調することが可能となる。
【００４７】
また、駆動機構（40）として、駆動モータ（41）の出力を揺動レバー（42）とアーム（43）とからなるリンク機構（44）を用いて外側フレーム（36）に伝達する構成のものを採用しているため、簡単な構成でコーナー水平羽根（34）を駆動できる。特に、主水平羽根（33）とコーナー水平羽根（34）の全てに対応する複数のロッド（45）をユニバーサルジョイント（46）を介して連結すると、駆動モータ（41）を１つ用いるだけで全ての水平羽根（33，34）の向きを調整できる。
【００４８】
さらに、この実施形態では、コーナー水平羽根（34）の水平羽根本体としてシート状フラップ（37）を用いているので、コーナー水平羽根（34）の構成自体も簡単にできるし、シート状フラップ（37）を伸縮可能な布素材で形成しているので、冷房時のコーナー水平羽根（34）への露付きも解消できる。
【００４９】
《発明の実施形態２》
本発明の実施形態２について図４を参照して説明する。
【００５０】
この実施形態２は、天井埋め込み型の空気調和装置（1）に関するものである。この空気調和装置（1）は、平面視が四辺形の立体（箱形）に形成された天井埋め込み型のケーシング（10）と、このケーシング（10）の下面に装着された四辺形の化粧パネル（15）とを備えている。
【００５１】
この空気調和装置（1）では、空気吹出口（30）は上記化粧パネル（15）に形成されている。この空気吹出口（30）は、化粧パネル（15）の四辺に沿って設けられた主吹出口（31）と、四隅に設けられたコーナー吹出口（32）とから構成されている。上記主吹出口（31）には、該主吹出口（31）からの空気の吹き出し方向を調整する主水平羽根（33）が設けられ、上記各コーナー吹出口（32）には、該コーナー吹出口（32）からの空気の吹き出し方向を調整するコーナー水平羽根（34）が設けられている。
【００５２】
コーナー水平羽根（34）は、図示していないが実施形態１と同様に構成されている。つまり、コーナー水平羽根（34）は、図２及び図３に示すように、内側フレーム（35）と外側フレーム（36）とシート状フラップ（37）とから構成され、シート状フラップ（37）を平面形状と錐面形状に設定できるようになっている。
【００５３】
駆動機構（40）についても図２及び図３とほぼ同様のものが設けられている。ただし、本実施形態においては、空気調和装置（1）が天井埋め込み型である関係で、図示していないが、駆動モータ（41）が水平羽根（33，34）の上方のケーシング（10）内に設けられている。そして、揺動レバー（42）を変位させることで外側フレーム（36）を図４の位置から下降させ、空調空気の吹き出し方向を調整するようになっている。
【００５４】
この実施形態２についても、実施形態１とほぼ同様の効果を奏することが可能である。
【００５５】
−実施形態２の変形例−
実施形態２の変形例について図５を参照して説明する。
【００５６】
この変形例は、図４と同じく天井埋め込み型の空気調和装置（1）に関するものであるが、空気吹出口（30）の構造が異なっている。具体的には、図４の例では空気吹出口（30）が主吹出口（31）とコーナー吹出口（32）を組み合わせて構成したものであるのに対して、この図５の例では、４つのコーナー吹出口（32）を組み合わせることにより円環状の吹出口が形成されている。各コーナー吹出口（32）は、中心角度を９０°とする範囲に形成されている。
【００５７】
この例についても、コーナー水平羽根（34）や駆動機構（40）は図４の例と同様に構成されている。したがって、揺動レバー（42）を変位させることで外側フレーム（36）を図５の位置から下降させ、空調空気の吹き出し方向を調整することができる。
【００５８】
なお、図４の例では、遠心ファンから主吹出口（31）までの距離が近く、遠心ファンからコーナー吹出口（32）までの距離が遠いため、主吹出口（31）からの吹き出し風量とコーナー吹出口（32）からの吹き出し風量が若干異なることになるが、図５に示したこの変形例では、空気吹出口（30）が円環状であるため、空気吹出口（30）の全ての部分について遠心ファンからの距離が同じである。そのため、空気吹出口（30）のどの部分をとっても空調空気の吹き出し風量が同じになる利点がある。
【００５９】
《その他の実施形態》
上記実施形態については、以下のような構成としてもよい。
【００６０】
例えば、上記実施形態１では、ケーシング（10）を平面視四辺形でコーナー部が湾曲した立体形状としているが、ケーシング（10）を平面視円形の立体形状として、吹出口（30を複数のコーナー吹出口（32）の組み合わせにしてもよい。このようにしても実施形態２の変形例と同様に、全方向への空調空気の吹き出し風量が同じになる効果を得ることができる。
【００６１】
また、上記各実施形態では、コーナー吹出口（32）を湾曲した形状にしているが、屈曲した形状にしてもよい。その場合、コーナー水平羽根（34）も同様に屈曲した形状のものを用いるとよい。
【００６２】
また、上記各実施形態では、水平羽根本体であるシート状フラップ（37）を伸縮性のある布素材により形成しているが、シート状のゴム素材を用いて形成してもよい。
【００６３】
さらに、水平羽根本体（37）は、必ずしも伸縮性のあるシート状素材で形成しなくてもよく、例えば細かい蛇腹状の部材など、平面形状と錐面形状とに変形可能なものであれば適宜変更してもよい。
【００６４】
また、駆動機構（40）も単なる例示に過ぎず、構成は適宜変更してもよい。例えば、上記実施形態では１台の駆動モータ（41）で全ての水平羽根（33，34）を駆動するようにしているが、複数台の駆動モータ（41）を使ってもよい。例えば駆動モータ（41）を２台にして、全ての水平羽根（33，34）の半分ずつを各駆動モータ（41）の駆動対象にしてもよい。
【００６５】
さらに、上記各実施形態では、天井吊り下げ型と天井埋め込み型の空気調和装置（1）についてのみ説明したが、本発明はケーシング（10）にコーナー吹出口（32）のある空気調和装置（1）であれば適用可能であり、例えば床置き型の空気調和装置などに本発明を適用してもよい。
【００６６】
なお、以上の実施形態は、本質的に好ましい例示であって、本発明、その適用物、あるいはその用途の範囲を制限することを意図するものではない。
【産業上の利用可能性】
【００６７】
以上説明したように、本発明は、空気調和装置におけるケーシングの空気吹き出し構造について有用である。
【図面の簡単な説明】
【００６８】
【図１】本発明の実施形態１に係る空気調和装置を下方から見た斜視図である。
【図２】実施形態１の空気調和装置のコーナー水平羽根と駆動機構の平面図である。
【図３】実施形態１の空気調和装置のコーナー吹出口の断面構造図である。
【図４】本発明の実施形態２に係る空気調和装置を下方から見た斜視図である。
【図５】実施形態２の変形例に係る空気調和装置を下方から見た斜視図である。
【符号の説明】
【００６９】
1   空気調和装置
10  ケーシング
11  側面
14  保持部
15  化粧パネル
30  空気吹出口
31  主吹出口
32  コーナー吹出口
33  主水平羽根
34  コーナー水平羽根
35  内側フレーム（第１縁部）
36  外側フレーム（第２縁部）
37  シート状フラップ（水平羽根本体）
40  駆動機構
41  駆動モータ
44  リンク機構
【図１】
2007218511.tif 000003
【図２】
2007218511.tif 000004
【図３】
2007218511.tif 000005
【図４】
2007218511.tif 000006
【図５】
2007218511.tif 000007